【事件の表示】
　特願２００６−１５１３６２「画像形成システム及び画像形成装置」拒絶査定不服審判事件〔平成１９年　４月１２日出願公開、特開２００７−　９１４６５〕について、次のとおり審決する。
【結　論】
　本件審判の請求は、成り立たない。
【理　由】
１．手続の経緯 
　本願は、平成１８年５月３１日（優先権主張平成１７年９月１日）の出願であって、平成２２年６月１８日付けで拒絶査定がなされ、これに対して、平成２２年９月２８日付けで拒絶査定不服審判の請求がなされたものである。
　その後、当審において、平成２３年３月９日付けで拒絶理由が通知され、これに対して、平成２３年５月１６日付けで意見書が提出されるとともに、同日付けで手続補正がなされたものである。
　
２．本願発明
　本願の特許請求の範囲の請求項１ないし１１に係る発明は、平成２３年５月１６日付け手続補正により補正された明細書、特許請求の範囲及び図面の記載からみて、その特許請求の範囲の請求項１ないし１１に記載されたとおりのものであると認められるところ、請求項１に係る発明（以下、「本願発明」という。）は、以下のとおりである。
　「記録媒体を収容する複数の記録媒体収容手段と、
　プラテンガラス上に載置された原稿の画像情報を読み取る画像読取手段と、
　原稿のサイズを取得する原稿サイズ取得手段と、
　前記原稿サイズ取得手段により取得した原稿サイズに基づいて前記複数の記録媒体収容手段の中から一の記録媒体収容手段を選択する自動記録媒体選択機能を指定するＡＰＳボタンと、
　前記画像読取手段により読み取った画像情報に基づいて記録媒体に画像を形成する画像形成手段と、
　前記画像形成手段により画像形成された記録媒体に対して３つ折りを施す３つ折り手段と、
　３つ折り設定が入力される折り設定入力手段と、
　Ａ４サイズの原稿が短辺方向を搬送方向と平行する縦位置の向きに前記プラテンガラス上に載置された原稿載置状態で、前記ＡＰＳボタンと前記折り設定入力手段が押された場合は、短辺方向が記録媒体搬送方向に平行する縦位置のＡ４サイズの記録媒体の給紙は行わず、横位置のＡ４サイズの記録媒体の給紙は行い、給紙した横位置のＡ４サイズの記録媒体に対して前記画像読取手段で読み取った画像情報を９０°回転して前記画像形成手段により画像を形成し、画像形成された記録媒体に対して前記３つ折り手段により３つ折りを施すべく制御し、
　前記原稿載置状態で前記折り設定入力手段は押されずに前記ＡＰＳボタンが押された場合は、原稿サイズと一致する縦位置のＡ４サイズの記録媒体があれば該記録媒体を給紙して、該記録媒体に対して前記画像読取手段で読み取った画像情報に応じた画像を前記画像形成手段により形成すべく制御する制御手段と、
　を有することを特徴とする画像形成システム。」
　
３．引用例
　これに対して、当審で通知した拒絶理由に引用された本願出願前に頒布された刊行物である特開２００５−２２１５８３号公報（以下、「引用例１」という。）及び特開２００４−２３５７２０号公報（以下、「引用例２」という。）には、それぞれ以下の各事項が記載されている。
　
［引用例１について］
（１ａ）「【請求項１】
画像形成処理で使用されるハードウェア資源と、画像形成に係る処理を行うプログラムとを有する画像形成装置において、
　原稿の読める向きを設定する向き設定手段と、
　前記原稿を出力した転写紙へのＺ折りの折り方向を設定する折り方向設定手段と、
　前記向き設定手段で設定された読める向きと、前記折り方向設定手段で設定された折り方向に基づき、前記転写紙をＺ折りするＺ折り手段と
　を有することを特徴とする画像形成装置。
【請求項２】
前記Ｚ折り手段は、
　前記原稿から読み取ったデータである原稿データを回転する回転手段と、
　前記回転手段で回転された原稿データを出力する転写紙のサイズがＺ折り可能かどうかを判断するサイズ判断手段と
　を有することを特徴とする請求項１に記載の画像形成装置。
・・・
【請求項９】
Ｚ折り可能な前記転写紙の種類の１つは、Ａ４サイズであることを特徴とする請求項１に記載の画像形成装置。」（【特許請求の範囲】参照）
　
（１ｂ）「【技術分野】
　本発明は、Ｚ折り可能な画像形成装置と、その画像形成装置におけるＺ折り方法に関する。
【背景技術】
　近年、ファクシミリ、プリンタ、コピーおよびスキャナなどの各装置の機能を１つの筐体内に収納した画像形成装置（以下、融合機という）が知られるようになった。この融合機は、１つの筐体内に表示部、印刷部および撮像部などを設けると共に、ファクシミリ、プリンタ、コピーおよびスキャナにそれぞれ対応する４種類のアプリケーションを設け、そのアプリケーションを切り替えることより、ファクシミリ、プリンタ、コピーおよびスキャナとして動作させるものである。
　このような融合機の機能で、Ｚ折りといわれるものがある。このＺ折りとは、融合機が転写紙を自動的に折って排紙するものである。この機能は、例えばＡ４の原稿にＡ３が混在している場合、Ａ３を折ってＡ４に揃えるために用いられる。
【発明の開示】
【発明が解決しようとする課題】
　従来から、このＺ折りは、Ａ３に対してはできるが、Ａ４に対してはできなかったり、ユーザが意図するＺ折りができないなど、使い勝手が良くなかった。
　本発明はこのような問題点に鑑み、ユーザに対して使い勝手の良いＺ折り機能を有する画像形成装置、Ｚ折り方法を提供することを目的とする。」（段落【０００１】−【０００５】参照）
　
（１ｃ）「図１は、本発明による融合機の一実施例の構成図を示している。融合機１は、ソフトウェア群２と、融合機起動部３と、ハードウェア資源４とを含むように構成される。
　融合機起動部３は融合機１の電源投入時に最初に実行され、アプリケーション層５およびプラットホーム層６を起動する。例えば融合機起動部３は、アプリケーション層５およびプラットホーム層６のプログラムを、ハードディスク装置（以下、ＨＤＤという）などから読み出し、読み出した各プログラムをメモリ領域に転送して起動する。ハードウェア資源４は、スキャナ２５と、プロッタ２６と、その他のハードウェアリソース２４とを含む。このその他のハードウェアリソース２４は、ステープルするステープラーや、パンチや、ＡＤＦ（Auto Document Feeder）などを含む。」（段落【００２８】−【００２９】参照）
　
（１ｄ）「ＡＳＩＣ３６は、画像処理用のハードウェア要素を有する画像処理用途向けのＩＣである。ＨＤＤ３８は、画像の蓄積、プログラムの蓄積、フォントデータの蓄積、フォームの蓄積などを行うためのストレージである。また、向き設定手段と折り方向設定手段に対応するオペレーションパネル３９は、ユーザからの入力操作を受け付けると共に、ユーザに向けた表示を行う操作部である。
　以下、Ｚ折について説明する。まず、以下の説明で用いられる「原稿データのサイズ」、「転写紙のサイズ」、「読める向き」、「読めない向き」、「右折り」、「下折り」、「タテ」、「ヨコ」などの語句についてと、基本的な動作について説明する。
　「原稿データのサイズ」とは、原稿から読み取ったデータである原稿データを転写紙に出力する際に適合するＡ４やＢ５など用紙のサイズをいう。「転写紙のサイズ」は、Ａ４やＢ５など用紙のサイズをいう。従って、原稿データや転写紙の走査幅は、Ａ４やＢ５など用紙に対応した走査幅である。また、原稿データと転写紙が同じ方向とは、原稿データを転写紙に出力した場合の用紙の長辺（短辺）と転写紙の長辺（短辺）が平行であることをいう。
　「読める向き」、「読めない向き」とは、ユーザが原稿を融合機でコピーする際に、ユーザから見て原稿に描かれた画像が読める、または読めない向きをいう。このことを具体的に図３を用いて説明する。図３には、ユーザ１００と、「Ｒ」と書かれた原稿１０１、１０２とが示されている。この図３は、コピーをするユーザを真上から見た図である。また、原稿１０１、１０２は向きが異なるが同じものである。
　この図３において、ユーザから見て、原稿１０１は読むことができ、原稿１０２は読むことができない。従って、原稿１０１の向きが「読める向き」であり、原稿１０２の向きが「読めない向き」である。
　次に、「右折り」、「下折り」について、図４を用いて説明する。図４には、原稿１０３、１０５と、Ｚ折りした転写紙１０４、１０６とが示されている。この図４に示されるように、「右折り」とは、「読める向き」の右側をＺ折りするものであり、「下折り」とは、「読める向き」の下側をＺ折りするものである。なお、図４と逆の場合となる原稿１０３の下折りと、原稿１０５の右折りは、Ｚ折り不可とする。このことを、図５を用いて説明する。」（段落【００５２】−【００５７】参照）
　
（１ｅ） 「次に、「タテ」、「ヨコ」について、再び図３を用いて説明する。一般的に、「タテ」とは、原稿１０１の向きをいい、「ヨコ」とは、原稿１０２の向きをいう。しかし、以下の実施例では、慣習に従い、原稿１０１の向きを「ヨコ」といい、原稿１０２の向きを「タテ」ということにする。これは、融合機が原稿を走査する方向から原稿を見るためである。通常、融合機は、ユーザ１００の右から左、あるいは逆の方向に走査する。その方向から見ると、原稿１０１の向きは「ヨコ」であり、原稿１０２の向きは「タテ」となる。
　以上が、語句と基本的な動作の説明である。ユーザは、以上説明した折り方向と読める向きとをオペレーションパネル３９から入力することで、ユーザが意図するＺ折りを行うことができる。オペレーションパネル３９は、入力された読める向きと折り方向をＥＣＳ１７に通知する。」（段落【００６３】−【００６４】参照）
　
（１ｆ）「最初に、図１０を用いてＺ折りの基本動作フローについて説明する。向き設定段階と折り方向設定段階に対応するステップＳ１０１は、ユーザから読める向きと折り方向が入力される。回転段階に対応するステップＳ１０２は、Ｚ折り回転処理である。この回転とは、スキャンした原稿のデータの電子的な回転である。サイズ判断段階に対応するステップＳ１０３は、Ｚ折りサイズ判断処理であり、処理が終了する。Ｚ折りサイズ判断処理とは、Ｚ折り可能なサイズかどうか判断する処理である。いかなるサイズであっても、Ｚ折りが可能というわけではなく、本実施例では、Ａ３タテ、Ｂ４タテ、Ａ４タテ、ＤＬＴタテ、ＬＧタテ、ＬＴタテをＺ折り可能としている。
　次に、図１１のフローチャートを用いて、図１０のステップＳ１０２の処理の詳細を説明する。向き判断段階に対応するステップＳ２０１は、原稿が読める向きかどうか判断である。読める向きの場合ステップＳ２０２へ処理が分岐する。ステップＳ２０２は、右折りかどうかの判断である。右折りの場合、ステップＳ２０３で、回転なしとなり、処理は終了する。ステップＳ２０２で、右折りと判断されなかった場合、ステップＳ２０５の処理が行われる。
　ステップＳ２０１で読めない向きと判断された場合、ステップＳ２０４で、右折りかどうか判断される。右折りでなければ、ステップＳ２０３へ処理は進む。右折りの場合、ステップＳ２０５の処理が行われる。
  ステップＳ２０５は、９０度または２７０度回転可能かどうか判断する処理である。回転可能であれば、ステップＳ２０６で回転が行われ処理が終了する。回転不可能であれば、ステップＳ２０７で、折り不可方向と判断され、処理が終了する。上記ステップＳ２０２、ステップＳ２０４は、右折り判断段階に対応する。また、ステップＳ２０３、ステップＳ２０６、ステップＳ２０７は、原稿データを回転する角度を決定する段階である。
　次に、図１２のフローチャートを用いて、図１０のステップＳ１０３の処理の詳細を説明する。ステップＳ３０１は、Ｚ折り可能サイズかどうかの判断処理である。Ｚ折り可能なサイズの場合、ステップＳ３０２で、Ｚ折りされ出力される。Ｚ折り不可能なサイズの場合、ステップＳ３０３で、そのままＺ折りせずに出力される。
　以上説明した基本動作によるコピーのイメージを表したのが、図１３である。図１３には、原稿を読み取ったデータ２２０、２２１、２２２、２２３、２２４、２２５と、転写紙２２６、２２７，２２８、２２９が示されている。
　図１１のステップＳ２０１の読める向きかどうかの判断で、データ２２０、２２１の２つに分岐される。次に、ステップＳ２０２、２０４で、右折りかどうかが判断される。ステップＳ２０３の回転なしの場合が、データ２２２、２２５に対応している。ステップＳ２０５の回転の場合が、データ２２３、２２４に対応する。そして、ステップＳ３０１のＺ折り可能かどうかが判断される。ステップＳ３０２のＺ折りの場合が、転写紙２２７、２２８に対応し、ステップＳ３０３のそのままの場合が、転写紙２２６、２２９に対応する。」（段落【００８５】−【００９１】参照）
　
　以上の記載によると、引用例１には、
「画像形成処理で使用されるハードウェア資源と、画像形成に係る処理を行うプログラムとを有し、ファクシミリ、プリンタ、コピーおよびスキャナなどの各装置の機能を１つの筐体内に収納した画像形成装置において、
　原稿の読める向きを設定する向き設定手段と、
　前記原稿を出力した転写紙へのＺ折りの折り方向を設定する折り方向設定手段と、
　前記向き設定手段で設定された読める向きと、前記折り方向設定手段で設定された折り方向に基づき、前記転写紙をＺ折りするＺ折り手段と、
　前記原稿から読み取ったデータである原稿データを回転する回転手段と、
　前記回転手段で回転された原稿データを出力する転写紙のサイズがＺ折り可能かどうかを判断するサイズ判断手段とを有し、
　Ｚ折り可能な前記転写紙の種類の１つは、Ａ４サイズであり、
　転写紙がＺ折り可能なサイズの場合、転写紙がＺ折りされ出力され、Ｚ折り不可能なサイズの場合、転写紙がそのままＺ折りせずに出力される画像形成装置。」の発明（以下、「引用発明」という。）が記載されていると認められる。
　
［引用例２について］
（２ａ）「【発明の実施の形態】
以下、本発明の実施の形態を図に基づき説明する。図１は、本実施形態に係る画像形成装置のブロック図である。すなわち、この画像形成装置は、主として折り畳み機能付きの複写機から成るもので、システム制御部１、ＲＯＭ２、ＲＡＭ３、ＣＰＵ４、通信制御部５、操作表示部６、画像データ読み取り部７、原稿自動送り処理部８、画像データ蓄積部９、画像データ処理部１０、画像データ記録部１、画像記録用紙後処理部１２、画像記録用紙排出部１３、折り畳み装置１４から構成される。なお、ここでは折り畳み装置１４が同じＣＰＵ４およびシステム制御部１で制御される例を示しているが、外部に取り付けられて別制御を行うものであってもよい。また、折り畳み装置１４が数種類の折り畳みを行える例を示しているが、折り畳み種類を限定した折り畳み装置を単独、または複数連結させる構成であってもよい。
・・・
画像データ処理部１０は、画像データ読み取り部７で読み取った原稿の画像データを、折り畳み形態に合わせて回転させる処理を行う。また、画像データ処理部１０で画像データの回転を行う代わりに、画像データ記録部１１によって用紙を回転させるようにしてもよい。いずれにおいても、読み取った原稿の画像データを用紙に印刷するにあたり、折り畳み装置１４で用紙を折り畳む形態に合わせて自動的に回転処理（画像データの回転、もしくは用紙の回転）を行い、ユーザに対して煩わしい操作を行わせることなく指定した通りの折り畳み方を実行できるようになる。・・・」（段落【００１０】−【００１２】参照）
　
（２ｂ）「次に、具体的な折り畳み処理について説明する。なお、ここで、用紙の折り畳み形態の用語について説明する。先ず、三つ折りとは、用紙を３分割して折り畳むこと、二つ折りとは、用紙を２分割して折り畳むことである。また、外三つ折りとは、三つ折りのうち折り畳む方向が交互になったもの（いわゆるＺ折り）、内三つ折りとは、三つ折りのうち折り畳む方向が同じもの（いわゆるＣ折り）である。」（段落【００１３】参照）
　
　以上の記載によると、引用例２には、
　「折り畳み機能付きの複写機において、折り畳み処理には、用紙を３分割して折り畳む三つ折りがあり、さらに、三つ折りには、外三つ折り（Ｚ折り）、内三つ折りがある」ことが記載されているものと認められる。
　
４．対比
　本願発明と引用発明とを対比すると、
　引用発明の「原稿データ」、「転写紙」及び「画像形成装置」は、それぞれ本願発明の「画像情報」、「記録媒体」及び「画像形成システム」に相当し、
　引用発明は、複数のサイズの転写紙を出力可能なものであることから、該複数のサイズに合わせて複数の転写紙の収容手段を備えているものと認められ、
　引用発明は、コピー機能を有することより、本願発明でいう「プラテンガラス上に載置された原稿の画像情報を読み取る画像読取手段」及び「画像読取手段により読み取った画像情報に基づいて記録媒体に画像を形成する画像形成手段」を備えていることは明らかであり、
　引用発明は、原稿データを転写紙のサイズに合わせて出力することから、当然、原稿サイズを取得しているものと認められること、
　引用発明の「Ｚ折り」と本願発明の「３つ折り」とは、「折り」である限りにおいては一致し、
　引用発明において、Ｚ折り機能は選択的な機能であって、当然、本願発明でいう「折り設定入力手段」を備えているものと認められ、
　引用発明において、原稿の向きを「ヨコ」にしてデータを読み取らせ、引用例１の図１３の上から３番目の「転写紙２２８」を出力する態様に設定すること、すなわち、向き設定手段を「読めない向き」に、折り方向設定手段を「右折り」にそれぞれ設定することにより、本願発明と同様な原稿データを９０°回転した画像の形成及び転写紙の折りを行うことができるものと認められ、
　そして、引用発明において、転写紙のサイズとしてＡ４サイズがあることより、それと等倍であり、原稿のサイズとして基本的なＡ４サイズの読み取りは可能なものと認められる。
　なお、引用例１での「タテ」及び「ヨコ」は、本願明細書での「縦」及び「横」とは、逆に定義されている（上記記載事項（１ｅ）参照）。
　よって、両者は、
「記録媒体を収容する複数の記録媒体収容手段と、
　プラテンガラス上に載置された原稿の画像情報を読み取る画像読取手段と、
　原稿のサイズを取得する原稿サイズ取得手段と、
　前記画像読取手段により読み取った画像情報に基づいて記録媒体に画像を形成する画像形成手段と、
　前記画像形成手段により画像形成された記録媒体に対して折りを施す折り手段と、
　折り設定が入力される折り設定入力手段と、
　Ａ４サイズの原稿が短辺方向を搬送方向と平行する縦位置の向きに前記プラテンガラス上に載置された原稿載置状態で、短辺方向が記録媒体搬送方向に平行する縦位置のＡ４サイズの記録媒体の給紙は行わず、横位置のＡ４サイズの記録媒体の給紙は行い、給紙した横位置のＡ４サイズの記録媒体に対して前記画像読取手段で読み取った画像情報を９０°回転して前記画像形成手段により画像を形成し、画像形成された記録媒体に対して前記折り手段により折りを施すべく制御する制御手段と、
　を有する画像形成システム。」
　である点で一致し、以下の各点で相違する。
　
　相違点１；本願発明では、折りが、３つ折りであるのに対し、引用発明では、Ｚ折りである点。
　
　相違点２；本願発明では、原稿サイズ取得手段により取得した原稿サイズに基づいて複数の記録媒体収容手段の中から一の記録媒体収容手段を選択する自動記録媒体選択機能を指定するＡＰＳボタンを有し、記録媒体に対しての３つ折り手段による３つ折りを施すのを、前記ＡＰＳボタンと３つ折り設定入力手段が押された場合とされ、また、原稿載置状態で前記３つ折り設定入力手段は押されずに前記ＡＰＳボタンが押された場合は、原稿サイズと一致する縦位置のＡ４サイズの記録媒体があれば該記録媒体を給紙して、該記録媒体に対して画像読取手段で読み取った画像情報に応じた画像を画像形成手段により形成されるのに対し、引用発明では、ＡＰＳ機能を有するか否かが明確でなく、また、Ｚ折りを指定しない場合の処理についての特定がない点。
　
５．判断
　上記各相違点について検討すると、
・相違点１について
　引用例２に記載されているように、画像形成装置の折り機能として、Ｚ折り以外の三つ折り機能も本願出願前周知であるので、
　引用発明において、Ｚ折り機能に換えて三つ折り機能を採用し、上記相違点１の本願発明のようになすことは、当業者が容易になし得たものである。
　
・相違点２について
　ＡＰＳ機能は、本願明細書の段落【０００３】において参照されている特開平７−１２９０４３号公報にも記載されているように、複数の給紙カセットを備えているコピー機においては、本願出願前周知の基本的な機能であると認められること、また、そのＡＰＳ機能の選択のためのボタンを設けることも、本願出願前周知の技術（例えば、特開２００３−２３８０１０号公報の段落【００４６】、特開平１１-９２０１７号公報の段落【００３６】、特開昭６２−６１０３９号公報の第３頁右下欄２−５行参照）であるので、引用発明において、ＡＰＳ機能及びその選択のためのボタンを設けることは、当業者が容易になし得たものである。
　そして、引用発明において、Ｚ折りが可能な転写紙は、「タテ」向きのもののみであること（上記記載事項（１ｆ）参照）を考慮すれば、Ｚ折りを行う際に、上記ＡＰＳ機能を用いた場合には、Ａ４ヨコの原稿に対して、Ａ４タテの転写紙を出力することは、当業者が容易に想到しうる事項である。
　また、本願発明が「原稿載置状態で３つ折り設定入力手段は押されずにＡ
ＰＳボタンが押された場合は、原稿サイズと一致する縦位置のＡ４サイズの記録媒体があれば該記録媒体を給紙して、該記録媒体に対して前記画像読取手段で読み取った画像情報に応じた画像を前記画像形成手段により形成される」とされているのは、要するに、縦位置のＡ４サイズの原稿の画像を読み取り、ＡＰＳ機能を用いて縦位置のＡ４サイズの記録媒体に画像を形成するという、単なる一般的な等倍のコピー機能にすぎず、格別な技術的意味があるものではない。
　よって、引用発明において、上記相違点２のようになすことは、当業者が容易になし得たものである。
　
　なお、請求人は、平成２３年５月１６日付け意見書において、引用例１に記載された画像形成装置も、ＡＰＳ機能に関する記載はなく、むしろ、用紙指定変倍機能を用いていることから、折り設定入力手段が押されない場合も、原稿に一致するサイズや原稿と同じ縦位置の転写紙が給紙されるものではなく、ユーザに指定された特定の転写紙が給紙されるものと考える方が自然である旨の主張をしているが、
　上記相違点２において検討したように、複数の給紙カセットを備えているコピー機において、ＡＰＳ機能は基本的な機能であり、引用例１には、用紙指定変倍する場合や原稿のサイズが混在している場合のみの記載しかないことをもって、引用例１に記載された画像形成装置にＡＰＳ機能がないとすることは適切でなく、また、仮にＡＰＳ機能を備えないものであったとしても、コピー機として基本的な機能であるＡＰＳ機能を付加し、該ＡＰＳ機能に折り機能を対応させたものとなすことは、上記したように当業者が容易になし得るものである。
　
６．むすび
　以上のとおり、本願発明は、引用発明及び周知の技術に基づいて、当業者が容易に発明をすることができたものであり、特許法第２９条第２項の規定により特許を受けることができないものであるから、本願は、他の請求項に係る発明について検討するまでもなく、拒絶をすべきものである。
　よって、結論のとおり審決する。